(57)【要約】【課題】  両側に同一の相手側コネクタが使用可能で、構造が簡素で、しかも、信号の伝送特性の劣化を防止できるコネクタを提供する。【解決手段】  コネクタにおいては、多数のコンタクトペア１，２は、縦横方向に等間隔に、かつ、同数配置されている。コンタクト１ａとコンタクト１ｂとから構成される各コンタクトペア１と、コンタクト２ａとコンタクト２ｂとから構成される各コンタクトペア２とは、正方形を形成するように配置される。各コンタクトペア１，２は、ハウジング３の表面では図５（Ａ）に示されるように横列に配置され、ハウジング３の裏面では図５（Ｂ）に示されるように横列に配置される。このように各コンタクトペア１，２が配置されると、図１に示されるように、ミッドプレーン６を介して一方側にドーターボード７ａを垂直に、他方側にドーターボード７ｂを水平に、それぞれ接続する場合に、プラグコネクタ５ａとプラグコネクタ５ｂとを同一に構成することができる。【選択図】  図４
2008153242.tif 000002
【特許請求の範囲】
【請求項１】
４本のコンタクトと、前記４本のコンタクトを保持するハウジングとを有し、
前記４本のコンタクトは、それぞれ接触部と、端子部と、前記接触部と前記端子部とを連結する連結部とからクランク状に折曲されて構成され、
前記４本のコンタクトの軸方向の平面視において、前記４本のコンタクトにより構成される形状が正方形であり、前記４本のコンタクトの各接触部は前記正方形の各角部に配置され、前記４本のコンタクトの各端子部は前記正方形の各角部に隣接する一方の角部に順次配置されることを特徴とするコネクタ。
【発明の詳細な説明】
【技術分野】
【０００１】
本発明は、コネクタの構造の簡素化と信号の伝送特性の劣化の防止に関し、一用途として高速差動信号伝送用レセプタクルコネクタに関する。
【背景技術】
【０００２】
従来の高速差動信号伝送用コネクタの一例の要点を図６を参照して説明する。ミッドプレーンの両面に、レセプタクルコネクタが取り付けられている。ミッドプレーンの一方側にプラグコネクタ用ドーターボード７ａが垂直方向に配置され、プラグコネクタ用ドーターボード７ａの一面に、プラグコネクタが取り付けられている。ミッドプレーンの他方側には、プラグコネクタ用ドーターボード７ｂが水平方向に配置され、プラグコネクタ用ドーターボード７ｂの一面に、プラグコネクタが取り付けられている。前記両プラグコネクタは、同一である。
【０００３】
コンタクトペア１は、コンタクト１ａとコンタクト１ｂとから構成され、コンタクトペア２は、コンタクト２ａとコンタクト２ｂとから構成される。図６（Ａ）に示されるように、ミッドプレーンの一方側では、コンタクトペア１，２は横列に配置され、また、図６（Ｂ）に示されるように、ミッドプレーンの他方側では、コンタクトペア１，２は縦列に配置される。
【０００４】
この種の高速差動信号伝送用コネクタは、若干の文献に記載されている（例えば、特許文献１参照。）。
【０００５】
【特許文献１】特開２００２−１１７９３８号公報（第３頁、図１）
【発明の開示】
【発明が解決しようとする課題】
【０００６】
前記従来の高速差動信号伝送用コネクタでは、インピーダンスコントロールが困難で、コネクタの性能が劣化する。コネクタの性能を改善するためには、ミッドプレーンを介した両側のプラグコネクタの構造を変更するか、又は、各コンタクト１本ずつを同軸構造に構成してコンタクトペアの結合のない構造に変更せざるを得ない。しかし、これらの変更では、部品点数が増加し、また、コンタクトペアの関係が維持され難いので、信号の伝送特性が劣化し易い。
【０００７】
そこで、本発明は、前記従来の高速差動信号伝送用コネクタの欠点を改良し、２つの同一の相手側コネクタが使用可能で、構造が簡素で、しかも、信号の伝送特性の劣化を防止できるコネクタを提供しようとするものである。
【課題を解決するための手段】
【０００８】
本発明は、前記課題を解決するため、次の手段を採用する。なお、本発明の構成要件の次に括弧を付して実施例の部材・部位の符号を記入する。
【０００９】
４本のコンタクト（１ａ，１ｂ，２ａ，２ｂ）と、前記４本のコンタクトを保持するハウジング（３）とを有し、前記４本のコンタクトは、それぞれ接触部と、端子部と、前記接触部と前記端子部とを連結する連結部とからクランク状に折曲されて構成され、前記４本のコンタクトの軸方向の平面視において、前記４本のコンタクトにより構成される形状が正方形であり、前記４本のコンタクトの各接触部は前記正方形の各角部に配置され、前記４本のコンタクトの各端子部は前記正方形の各角部に隣接する一方の角部に順次配置されるコネクタ。
【発明の効果】
【００１０】
明細書の説明から明らかなように、本発明によれば、次の効果が奏される。
【００１１】
１．コネクタの各コンタクトの入力側の位置と出力側の位置を変えることによって、２つの同一の相手側コネクタを使用して、直交する２枚のドーターボードを接続することができる。
【００１２】
２．相手側コネクタのコンタクトのペア関係が維持されて、信号が伝送されるので、信号の伝送特性の劣化を防止でき、また、インピーダンスのコントロールを容易に行うことができる。
【００１３】
３．相手側コネクタの部品種類の点数が増加しないので、コストが高価にならない。
【００１４】
４．コネクタにおける各コンタクトを高密度で配置することができ、また、コネクタを小型に構成し易い。
【発明を実施するための最良の形態】
【００１５】
本発明の２つの実施例の高速差動信号伝送用レセプタクルコネクタについて説明する。
【実施例１】
【００１６】
まず、本発明の実施例１のコネクタについて図１〜図３を参照して説明する。図１は同コネクタの使用例の斜視図、図２は同コネクタの構造の斜視図、図３（Ａ）と（Ｂ）は同コネクタのコンタクトの模式的配列図を、それぞれ示す。
【００１７】
図１に示されるように、中央には、ミッドプレーン６が垂直方向に配置され、ミッドプレーン６の左右両面に、レセプタクルコネクタ４ａ，４ｂが取り付けられている。ミッドプレーン６の左側には、ドーターボード７ａが垂直方向に配置され、ドーターボード７ａの一面に、プラグコネクタ５ａが取り付けられている。ミッドプレーン６の右側には、ドーターボード７ｂが水平方向に配置され、ドーターボード７ｂの一面に、プラグコネクタ５ｂが取り付けられている。本発明のコネクタは、上述のような２枚のドーターボード７ａ，７ｂを接続する場合に使用される。
【００１８】
図２に示されるように、同コネクタにおいては、多数のコンタクトペア１は、縦横方向に等間隔に、かつ、同数配置されている。各コンタクトペア１は、正方形の中心点に関して対称となるように配置されるコンタクト１ａとコンタクト１ｂとから構成される。各コンタクト１ａ，１ｂは、いずれも接触部１ａ１，１ｂ１と、端子部１ａ２，１ｂ２と、接触部１ａ１，１ｂ１と端子部１ａ２，１ｂ２を連結する連結部１ａ３，１ｂ３とからクランク状に折曲されて一体に構成される。各コンタクト１ａ，１ｂの連結部１ａ３，１ｂ３とその付近は、各レセプタクルコネクタ４ａ，４ｂのハウジング３に設けられた各貫通孔３ａ内にそれぞれ固定される。各コンタクトペア１は、ハウジング３の表面では図３（Ａ）に示されるように横列に配置され、ハウジング３の裏面では図３（Ｂ）に示されるように横列に配置される。各コンタクト１ａ，１ｂの接触部１ａ１，１ｂ１は、プラグコネクタ５ａの各コンタクトと接続し、端子部１ａ２，１ｂ２は、プラグコネクタ５ｂの各コンタクトと接続する。
【００１９】
前述のように、各コンタクトペア１の各コンタクト１ａ，１ｂが、クランク状に折曲されて構成され、配置されているので、図１に示されるように、垂直方向に配置されているドーターボード７ａに取り付けられているプラグコネクタ５ａと、水平方向に配置されているドーターボード７ｂに取り付けられているプラグコネクタ５ｂとを、中央に垂直方向に配置されているミッドプレーン６の左右両面に取り付けられているレセプタクルコネクタ４ａ，５ａを介して接続する場合、プラグコネクタ５ａとプラグコネクタ５ｂとを同一に構成することができる。
【００２０】
上述のように構成することによって、プラグコネクタ５ａ，５ｂの部品種類の点数が増加しないから、コストが高価にならない。また、各コンタクトペア１の関係が維持されたまま、信号が伝送されるので、信号の伝送特性の劣化が防止され、更に、インピーダンスのコントロールが容易に行われる。
【００２１】
なお、図２（Ｂ）に示されるように、各コンタクト１ａ，１ｂの接触部１ａ１，１ｂ１の断面は、正方形であるが、四隅を面打ちすると、八角形に形成することができる。この結果、四隅の直角部がなくなるので、嵌合の際、プラグコネクタ５ａのコンタクトは損傷し難くなる。端子部１ａ２，１ｂ２の断面についても、同様である。
【実施例２】
【００２２】
次に、本発明の実施例２について図４と図５を参照して説明する。実施例２のコネクタについては、実施例１と同様な点の説明を省略し、相違する点の説明のみを行う。図４は同コネクタの構造の斜視図、図５（Ａ）と（Ｂ）は同コネクタのコンタクトの模式的配列図を、それぞれ示す。
【００２３】
図４に示されるように、同コネクタにおいては、多数のコンタクトペア１，２は、縦横方向に等間隔に、かつ、同数配置されている。コンタクト１ａとコンタクト１ｂとから構成される各コンタクトペア１と、コンタクト２ａとコンタクト２ｂとから構成される各コンタクトペア２とは、正方形を形成するように配置される。各コンタクトペア１，２は、ハウジング３の表面では図５（Ａ）に示されるように横列に配置され、ハウジング３の裏面では図５（Ｂ）に示されるように横列に配置される。
【００２４】
このように各コンタクトペア１，２が配置されると、図１に示されるように、ミッドプレーン６を介して一方側にドーターボード７ａを垂直に、他方側にドーターボード７ｂを水平に、それぞれ接続する場合に、プラグコネクタ５ａとプラグコネクタ５ｂとを同一に構成することができる。
【００２５】
上述のように構成することによって、プラグコネクタ５ａ，５ｂの部品種類の点数が増加しないから、コストが高価にならない。また、各コンタクトペア１，２の関係が維持されたまま、信号が伝送されるので、信号の伝送特性の劣化が防止され、更に、インピーダンスのコントロールが容易に行われる。更に、実施例２は、実施例１よりもコンタクトの高密度化及びコネクタの小型化を図り易い。
【図面の簡単な説明】
【００２６】
【図１】本発明の実施例１の高速差動信号伝送用レセプタクルコネクタの使用例の斜視図である。
【図２】（Ａ）は同コネクタと一対のコンタクトの斜視図、（Ｂ）は同各コンタクトの接触部側からの平面視した図を、それぞれ示す。
【図３】同コネクタにおけるコンタクトの模式的配列図であり、（Ａ）は一方のプラグコネクタ用ドーターボード側のもの、（Ｂ）は他方のプラグコネクタ用ドーターボード側のものを、それぞれ示す。
【図４】本発明の実施例２の高速差動信号伝送用レセプタクルコネクタと二対のコンタクトの斜視図である。
【図５】同コネクタにおけるコンタクトの模式的配列図であり、（Ａ）は一方のプラグコネクタ用ドーターボード側のもの、（Ｂ）は他方のプラグコネクタ用ドーターボード側のものを、それぞれ示す。
【図６】従来の高速差動信号伝送用レセプタクルコネクタにおけるコンタクトの模式的配列図であり、（Ａ）は一方のプラグコネクタ用ドーターボード側のもの、（Ｂ）は他方のプラグコネクタ用ドーターボード側のものを、それぞれ示す。
【符号の説明】
【００２７】
１  コンタクトペア
１ａ，１ｂ    コンタクト
１ａ１，１ｂ１    接触部
１ａ２，１ｂ２    端子部
１ａ３，１ｂ３    連結部
２    コンタクトペア
２ａ，２ｂ    コンタクト
３    ハウジング
３ａ    貫通孔
４ａ，４ｂ    レセプタクルコネクタ
５ａ，５ｂ    プラグコネクタ
６    ミッドプレーン
７ａ，７ｂ    ドーターボード
【図１】
2008153242.tif 000003
【図２】
2008153242.tif 000004
【図３】
2008153242.tif 000005
【図４】
2008153242.tif 000006
【図５】
2008153242.tif 000007
【図６】
2008153242.tif 000008